(57)【要約】【課題】前方側と後方側とのいずれでも同じ操作感で操作することができるとトリガを備えたヘッジトリマを提供する。【解決手段】作業対象物を前後方向に往復動するブレードにより剪定するヘッジトリマであって、前後方向に延びるメインハンドル７と、ブレードの往復動をオンオフ制御する第１スイッチ１０と、メインハンドル７の前後方向の把持範囲に対応して前後方向に延伸して設けられ、第１スイッチ１０をオンオフ操作するトリガ１２とを具備し、トリガ１２は、前方側と後方側とが上下方向に移動する向きに回動可能に支持されており、トリガ１２の前方側もしくは後方側が操作されて回動されると、当該回動に伴うトリガ１２の略中央部の変位によって第１スイッチ１０がオン操作される。【選択図】図２
2015192626.tif 000002
【特許請求の範囲】
【請求項１】
作業対象物を前後方向に往復動するブレードにより剪定するヘッジトリマであって、
前後方向に延びるメインハンドルと、
前記ブレードの往復動をオンオフ制御するスイッチと、
前記メインハンドルの前後方向の把持範囲に対応して前後方向に延伸して設けられ、前記スイッチをオンオフ操作するトリガとを具備し、
前記トリガは、前方側が操作されると操作箇所より後方を支点として移動可能とされ、後方側が操作されると操作箇所より前方を支点として移動可能とされていることを特徴とするヘッジトリマ。
【請求項２】
前記トリガの前方側もしくは後方側が操作されて回動されると、当該回動に伴う前記トリガの略中央部の変位によって前記スイッチがオン操作されることを特徴とする請求項１記載のヘッジトリマ。
【請求項３】
前記トリガは、略中央部が軸支されており、
前記トリガには、前記トリガの回動を前記トリガにおける略中央部の上下方向の変位に変換する上下方向変位変換部が形成されていることを特徴とする請求項２記載のヘッジトリマ。
【請求項４】
前記トリガは、前方側が操作されると後端部を支点として回動され、後方側を操作されると前端部を支点として回動されることを特徴とする請求項１乃至３のいずれかに記載のヘッジトリマ。
【請求項５】
前記トリガは、前記前方側と前記後方側の略中央部が前記メインハンドルに交差する方向に操作されると、前記操作方向に沿って移動することを特徴とする請求項１乃至４のいずれかに記載のヘッジトリマ。
【請求項６】
前記トリガにおける略中央部の上下方向の変位を前後方向の変位に変換する前後方向変位変換部を具備し、
前記前後方向変位変換部によって変換された前後方向の変位によって前記スイッチがオン操作されることを特徴とする請求項１乃至５のいずれかに記載のヘッジトリマ。
【請求項７】
前記スイッチは前記メインハンドルが接続された本体に配置されていることを特徴とする請求項６記載のヘッジトリマ。
【発明の詳細な説明】
【技術分野】
【０００１】
本発明は、植え込みや生垣の枝葉等の作業対象物を往復動するブレードにより剪定するヘッジトリマに関する。
【背景技術】
【０００２】
植え込みや生垣の枝葉等の作業対象物を往復動するブレードにより剪定するヘッジトリマ（刈込機とも称される）が使用されている（例えば、特許文献１参照）。ヘッジトリマには、ブレードが往復動する前後方向に延びるメインハンドルが一般的に設けられており、このメインハンドルを作業者が把持し、メインハンドルに設けられたトリガを操作しながら剪定作業が行われる。メインハンドルが前後方向に延びていることで、剪定箇所に応じて把持する箇所を使い分けることができる。例えば、垣根の上端の奥を剪定する際には、腕を伸ばしメインハンドルの後方を把持することで、作業者の身体から離れた箇所の剪定を容易に行うことができる。また、垣根の側面を剪定する際には、腕を縮めメインハンドルの前方を把持することで、作業者の身体から近い箇所の剪定を容易に行うことができる。そして、メインハンドルに設けられたトリガは、前後方向のいずれの箇所を把持しても操作できることが望ましく、近年では、前後方向に長いトリガ、すなわちメインハンドルの前後方向の把持範囲に対応して前後方向に延伸するトリガを採用し、作業性を向上させることが行われている。
【先行技術文献】
【特許文献】
【０００３】
【特許文献１】特開２０１０−８７８９１号公報
【発明の概要】
【発明が解決しようとする課題】
【０００４】
しかしながら、トリガの長手方向の一端を支点としてケーシングに軸支されているのが一般的であり、トリガを支点から離れた箇所で操作する場合は操作荷重が軽いがストロークが長くなり、逆に支点に近い箇所で操作する場合は操作荷重が重いがストロークが短くる。従って、前後方向に長いトリガを採用した場合には、前方側で操作する場合と後方側で操作する場合とで、操作荷重やストロークにより操作感が異なってしまうため、結果的にハンドルの把持する箇所が限定されてしまい、多様な作業姿勢に対応することができないという問題点があった。
【０００５】
本発明は以上のような状況に鑑みなされたものであって、上記課題を解決し、前方側と後方側とのいずれでも同じ操作感で操作することができるとトリガを備えたヘッジトリマを提供することを目的とする。
【課題を解決するための手段】
【０００６】
本発明のヘッジトリマは、作業対象物を前後方向に往復動するブレードにより剪定するヘッジトリマであって、前後方向に延びるメインハンドルと、前記ブレードの往復動をオンオフ制御するスイッチと、前記メインハンドルの前後方向の把持範囲に対応して前後方向に延伸して設けられ、前記スイッチをオンオフ操作するトリガとを具備し、前記トリガは、前方側が操作されると操作箇所より後方を支点として移動可能とされ、後方側が操作されると操作箇所より前方を支点として移動可能とされていることを特徴とする。
さらに、本発明のヘッジトリマにおいて、前記トリガの前方側もしくは後方側が操作されて回動されると、当該回動に伴う前記トリガの略中央部の変位によって前記スイッチがオン操作されても良い。
さらに、本発明のヘッジトリマにおいて、前記トリガは、略中央部が軸支されており、
前記トリガには、前記トリガの回動を前記トリガにおける略中央部の上下方向の変位に変換する上下方向変位変換部が形成されていても良い。
さらに、本発明のヘッジトリマにおいて、前記トリガは、前方側が操作されると後端部を支点として回動され、後方側を操作されると前端部を支点として回動されても良い。
さらに、本発明のヘッジトリマにおいて、前記トリガは、前記前方側と前記後方側の略中央部が前記メインハンドルに交差する方向に操作されると、前記操作方向に沿って移動しても良い。
さらに、本発明のヘッジトリマにおいて、前記トリガにおける略中央部の上下方向の変位を前後方向の変位に変換する前後方向変位変換部を具備し、前記前後方向変位変換部によって変換された前後方向の変位によって前記スイッチがオン操作されても良い。
さらに、本発明のヘッジトリマにおいて、前記スイッチは前記メインハンドルが接続された本体に配置されていても良い。
【図面の簡単な説明】
【０００７】
【図１】本発明に係るヘッジトリマの第１の実施の形態の構成を示す縦断面図である。
【図２】図１に示すトリガの構成を示す拡大図である。
【図３】図１に示すトリガの動作を説明するための説明図である。
【図４】本発明に係るヘッジトリマの第２の実施の形態の構成を示す縦断面図である。
【図５】図４に示すトリガの構成を示す拡大図である。
【図６】図４に示すトリガの動作を説明するための説明図である。
【発明を実施するための形態】
【０００８】
次に、本発明の実施の形態を、図面を参照して具体的に説明する。なお、各図面に示される同一または同等の構成要素、部材、処理等には同一の符号を付し、適宜重複した説明は省略する。
【０００９】
（第１の実施の形態）
第１の実施の形態のヘッジトリマ１は、図１を参照すると、ブレードアッセンブリ２が設けられる刈込機本体つまりケーシング３を有しており、ブレードアッセンブリ２はケーシング３の前端部からケーシング３の前方に突出している。ケーシング３内には、ブレードアッセンブリ２に組み込まれたブレードを駆動するための駆動源としての電動モータ４と、電動モータ４の出力軸５の回転運動を減速してブレードの往復動に変換するための動力変換機構６とが設けられている。動力変換機構６によりブレードアッセンブリ２に組み込まれた上下一対のブレードが１８０°位相がずれて前後方向に往復動する。
【００１０】
ケーシング３には、作業者が把持する把持部として、ブレードが往復動する前後方向に延びるメインハンドル７が形成されていると共に、前後方向と直交するループ状のサブハンドル８が取り付けられている。メインハンドル７は、ケーシング３の後方側に、サブハンドル８は、ケーシング３の前方側に設けられている。メインハンドル７のさらに後方側には電動モータ４に電力を供給するためのバッテリ９が設けられている。メインハンドル７には第１スイッチ１０が組み込まれ、ケーシング３内には第２スイッチ１１が組み込まれている。第１スイッチ１０はメインハンドル７に設けられた操作レバーであるトリガ１２によりオンオフ操作される。第２スイッチ１１は、サブハンドル８を把持することでオンオフ操作され、第１スイッチ１０と第２スイッチ１１とのいずれもがオンされると、電動モータ４は回転駆動され、ブレードアッセンブリ２に組み込まれたブレードが往復動する。
【００１１】
図２を参照すると、トリガ１２は、メインハンドル７の把持範囲に対応して前後方向に延伸して設けられており、メインハンドル７の前後のいずれを把持しても操作可能に構成されている。トリガ１２の前後方向略中央部（以下、単に略中央部と称す）の両側面には、円形凸部１２ａが突出して形成されている。円形凸部１２ａは、図２に示す前後方向及び上下方向と直交する左右方向に突出している。そして、ケーシング３には、両側面の円形凸部１２ａとそれぞれ嵌合する円形凹部３ａがそれぞれ形成されている。これにより、円形凸部１２ａは円形凹部３ａによって軸支され、トリガ１２は、略中央部に位置する円形凸部１２ａを支点として回動可能に構成されている。また、トリガ１２の前端部と後端部とには、鍔部１２ｂがそれぞれ形成され、鍔部１２ｂがケーシング３に当接することで、トリガ１２の回動範囲が規制されている。
【００１２】
第１スイッチ１０は、プッシュ式のスイッチであり、下方向に突出する突起１０ａが押し上げられることでオンされる。突起１０ａは、トリガ１２の略中央部の上方に対向して配置されている。そして、トリガ１２の略中央部には、回動に伴って突起１０ａを押し上げる操作片１２ｃが形成されている。操作片１２ｃには、トリガ１２の回動に伴って上下方向の位置が異なる当接部が形成され、当該当接部が第１スイッチ１０の突起１０ａに対して下方から当接するように構成されている。従って、操作片１２ｃは、トリガ１２の回動をトリガ１２の略中央部における上下方向の変位に変換する上下方向変位変換部である。
【００１３】
トリガ１２上面の前方側と後方側とには、ケーシング３との間にスプリング１３がそれぞれ介装されている。これにより、トリガ１２が操作されず、トリガ１２に外力が作用しない状態では、トリガ１２は、スプリング１３の付勢力によって、図２に示すように、前後方向に延びる中立状態となる。この中立状態では、操作片１２ｃによって突起１０ａを押し上げられることなく、第１スイッチ１０はオフ状態である。
【００１４】
図３（ａ）には、トリガ１２の前方側が操作された状態が示されている。トリガ１２の前方側が操作されることで、トリガ１２は、スプリング１３の付勢力に抗して回動され、前方側が上方に、後方側が下方にそれぞれ移動される。すると、操作片１２ｃによってトリガ１２の回動が上方向への変位に変換されて、突起１０ａが押し上げられ、第１スイッチ１０がオン操作される。
【００１５】
図３（ｂ）には、トリガ１２の後方側が操作された状態が示されている。トリガ１２の後方側が操作され場合も、トリガ１２の前方側が操作された場合と同じ条件で動作する。すなわち、トリガ１２の後方側が操作されることで、トリガ１２は、スプリング１３の付勢力に抗して回動され、前方側が下方に、後方側が上方にそれぞれ移動される。すると、操作片１２ｃによってトリガ１２の回動が上方向への変位に変換されて、突起１０ａが押し上げられ、第１スイッチ１０がオン操作される。
【００１６】
以上説明したように、第１の実施の形態によれば、作業対象物を前後方向に往復動するブレードにより剪定するヘッジトリマ１であって、前後方向に延びるメインハンドル７と、ブレードの往復動をオンオフ制御する第１スイッチ１０と、メインハンドル７の前後方向の把持範囲に対応して前後方向に延伸して設けられ、第１スイッチ１０をオンオフ操作するトリガ１２とを具備し、トリガ１２は、前方側が操作されると操作箇所より後方を支点として移動可能とされ、後方側が操作されると操作箇所より前方を支点として移動可能とされている。そしてトリガ１２の前方側もしくは後方側が操作されて回動されると、当該回動に伴うトリガ１２の略中央部の変位によって第１スイッチ１０がオン操作される。
この構成により、トリガ１２の前方側と後方側とのいずれを操作しても同じ操作感で操作することができるため、前後方向に延びるメインハンドル７を把持する箇所を変更しても操作性に変化がなく、多様な作業姿勢に対応することができる。
【００１７】
さらに、本実施の形態によれば、トリガ１２は、略中央部が軸支されており、トリガ１２には、トリガ１２の回動をトリガ１２における略中央部の上下方向の変位に変換する操作片１２ｃが上下方向変位変換部として形成されている。
この構成により、簡単な機構でトリガ１２の回動を上下方向の変位に変換することができる。
【００１８】
（第２の実施の形態）
第２の実施の形態のヘッジトリマ１ａは、図４を参照すると、サブハンドル８を把持され、且つメインハンドル７に設けられた操作レバーであるトリガ１４を操作することでオン操作される第３スイッチ１５がケーシング３内に組み込まれている。トリガ１４の操作は、操作ケーブル１６によって第３スイッチ１５に伝達されるように構成されており、操作ケーブル１６を引くことで第３スイッチ１５がオン操作される。なお、ヘッジトリマ１ａでは、電動モータ４に供給する電力として商用電源を用い、ケーシング３には電源ケーブル１７が取り付けられている。
【００１９】
図５を参照すると、メインハンドル７には、トリガ１４における略中央部の上下方向の変位を前後方向の変位に変換する前後方向変位変換部として機能する回動片１８が設けられている。回動片１８は、図５に示す前後方向及び上下方向と直交する左右方向の回動軸１８ａを支点として回動される。
【００２０】
トリガ１４における略中央部の上面には、前後方向に延びる長穴１４ａが形成された立設板１４ｂが設けられている。そして、回動片１８には、長穴１４ａに緩装される円形凸部１８ｂが回動軸１８ａと間隔をおいて形成されている。回動片１８は、回動軸１８ａに装着されたねじりバネ１９によって、円形凸部１８ｂが下方に変位する方向に付勢されている。また、トリガ１４の前端部と後端部とには、鍔部１４ｃがそれぞれ形成され、鍔部１４ｃがケーシング３に当接することで、トリガ１２における前端部と後端部とのそれぞれの移動範囲が規制されている。さらに、回動片１８には、操作ケーブルが連結される連結凸部１８ｃが回動軸１８ａと間隔をおいて形成されており、回動軸１８ａと連結凸部１８ｃとは、メインハンドル７の略中央部よりも後方側に位置する。
【００２１】
図５には、トリガ１４が操作されず、トリガ１４に外力が作用しない状態が示されておいる。トリガ１４は、円形凸部１８ｂによって下方向に付勢され、鍔部１４ｃがケーシング３に形成された当接部に当接し、前後方向に延びるように位置決めされている。
【００２２】
図６（ａ）には、トリガ１４の前方側が操作された状態が示されている。前方側が操作されることで、トリガ１４は、後端部に形成されている鍔部１４ｃを支点として回動し、前方側が上方に移動される。これにより、トリガ１４の略中央部は、円形凸部１８ｂ（ねじりバネ１９）による付勢力に抗して前方側のストロークの約半分のストロークで上方に変位する。従って、立設板１４ｂの長穴１４ａに緩装されている円形凸部１８ｂも上方に移動されて回動片１８が回動され、連結凸部１８ｃに連結されている操作ケーブルが後方に引かれて第３スイッチ１５がオン操作される。すなわち、トリガ１４における略中央部の上方向の変位が回動片１８によって後方向の変位に変換されて第３スイッチ１５がオン操作される。なお、トリガ１４の前方側を操作する場合には、トリガ１４の後端部に形成されている鍔部１４ｃが支点になると共に、トリガ１４の略中央部が作用点になるため、円形凸部１８ｂ（ねじりバネ１９）による付勢力に対して約半分の力で操作することができる。
【００２３】
図６（ｂ）には、トリガ１４の後方側が操作された状態が示されている。トリガ１４の後方側が操作され場合も、トリガ１４の前方側が操作された場合と同じ条件で動作する。すなわち、後方側が操作されることで、トリガ１４は、前端部に形成されている鍔部１４ｃを支点として回動し、トリガ１２は、後方側が上方に移動される。これにより、トリガ１４の略中央部は、円形凸部１８ｂ（ねじりバネ１９）による付勢力に抗して後方側のストロークの約半分のストロークで上方に変位する。従って、立設板１４ｂの長穴１４ａに緩装されている円形凸部１８ｂも上方に移動されて回動片１８が回動され、連結凸部１８ｃに連結されている操作ケーブルが後方に引かれて第３スイッチ１５がオン操作される。すなわち、トリガ１４における略中央部の上方向の変位が回動片１８によって後方向の変位に変換されて第３スイッチ１５がオン操作される。なお、トリガ１４の後方側を操作する場合には、トリガ１４の前端部に形成されている鍔部１４ｃが支点になると共に、トリガ１４の略中央部が作用点になるため、円形凸部１８ｂ（ねじりバネ１９）による付勢力に対して約半分の力で操作することができる。
【００２４】
図６（ｃ）には、トリガ１４の略中央が操作された状態が示されている。トリガ１４は、円形凸部１８ｂ（ねじりバネ１９）による付勢力に抗して上方に変位する。従って、立設板１４ｂの長穴１４ａに緩装されている円形凸部１８ｂも上方に移動されて回動片１８が回動され、連結凸部１８ｃに連結されている操作ケーブルが後方に引かれて第３スイッチ１５がオン操作される。
【００２５】
なお、第２の実施の形態において、第１の実施の形態で用いた第１スイッチ１０を備え、トリガ１４に略中央部の上下方向の変位（例えば、立設板１４ｂによる突起１０ａの押し上げ）によって第１スイッチ１０をオン操作するように構成しても良い。また、第１の実施の形態に回動片１８と操作ケーブル１６とを設けて第２スイッチ１１を直接操作するように構成することもできる。
【００２６】
以上説明したように、第２の実施の形態によれば、作業対象物を前後方向に往復動するブレードにより剪定するヘッジトリマ１ａであって、前後方向に延びるメインハンドル７と、ブレードの往復動をオンオフ制御する第３スイッチ１５と、メインハンドル７の前後方向の把持範囲に対応して前後方向に延伸して設けられ、第３スイッチ１５をオンオフ操作するトリガ１４とを具備し、トリガ１４は、前方側が操作されると操作箇所より後方を支点として移動可能とされ、後方側が操作されると操作箇所より前方を支点として移動可能とされている。そしてトリガ１４の前方側もしくは後方側が操作されて回動されると、当該回動に伴うトリガ１４の略中央部の変位によって第３スイッチ１５がオン操作される。
この構成により、第１の実施の形態と同様に、トリガ１４の前方側と後方側とのいずれを操作しても同じ操作感で操作することができるため、前後方向に延びるメインハンドル７を把持する箇所を変更しても操作性に変化がなく、多様な作業姿勢に対応することができる。
【００２７】
さらに、第２の実施の形態によれば、トリガ１４は、前方側が操作されると後端部を支点として回動され、後方側を操作されると前端部を支点として回動される。
この構成により、トリガ１４の前方側及び後方側で操作する際に、少ない力で操作することができる。また、固定された支点を備えないことで、前方側、中央、後方側の何れの位置においても操作することができる。
【００２８】
さらに、第２の実施の形態によれば、トリガ１４は、前方側と後方側の略中央部がメインハンドル７に交差する上下方向に操作されると、操作である上下方向に沿って移動する。
この構成により、トリガ１４の略中央部でもオンオフ操作することができる。
【００２９】
さらに、第２の実施の形態によれば、トリガ１４における略中央部の上下方向の変位を前後方向の変位に変換する回動片１８が前後方向変位変換部として設けられ、回動片１８によって変換された前後方向の変位によって第３スイッチ１５がオン操作される。
この構成により、第３スイッチ１５をメインハンドル７以外の前後方向の自由な位置に配置することができ、メインハンドル７部分を細くすることができると共に、設計の自由度が向上する。
【００３０】
以上、本発明を実施の形態をもとに説明した。本実施の形態は例示であり、それらの各構成要素の組み合わせ等にいろいろな変形例が可能なこと、またそうした変形例も本発明の範囲にあることは当業者に理解されるところである。
例えば、本発明は、電動モータ４によって駆動されるヘッジトリマ１について説明したが、エンジンによって駆動されるヘッジトリマであっても適用することができる。この場合、例えばトリガが操作されることで操作ケーブルを介してエンジンの燃料調整機構として気化器のスロットルが調整されるようにしてもよい。
【符号の説明】
【００３１】
１、１ａ  ヘッジトリマ
２  ブレードアッセンブリ
３  ケーシング
３ａ  円形凹部
４  電動モータ
５  出力軸
６  動力変換機構
７  メインハンドル
８  サブハンドル
９  バッテリ
１０  第１スイッチ
１０ａ  突起
１１  第２スイッチ
１２  トリガ（第１の実施の形態）
１２ａ  円形凸部
１２ｂ  鍔部
１２ｃ  操作片
１３  スプリング
１４  トリガ（第２の実施の形態）
１４ａ  長穴
１４ｂ  立設板
１４ｃ  鍔部
１５  第３スイッチ
１６  操作ケーブル
１７  電源ケーブル
１８  回動片
１８ｂ  円形凸部
１８ｃ  連結凸部
１９  ねじりバネ
【図１】
2015192626.tif 000003
【図２】
2015192626.tif 000004
【図３】
2015192626.tif 000005
【図４】
2015192626.tif 000006
【図５】
2015192626.tif 000007
【図６】
2015192626.tif 000008